(57)【要約】【課題】  鏡餅包装体に敷紙を添付する際に、鏡餅の運搬・販売時に取り扱いやすく鏡餅の陳列時の外観を損ねず、敷紙が添付されている旨を購入者に掲示しながら、鏡餅本体と敷紙とをセットにした鏡餅包装体を提供することである。【解決手段】  大小の餅を重ねた鏡餅形状の容器であり容器内部に餅が収容される鏡餅容器１０と、鏡餅用の敷紙３０を鏡餅容器１０に添付する敷紙ケース２０とを有する鏡餅包装体であって、敷紙ケース２０は、鏡餅容器１０の底面側に配置される敷紙収容部２１に敷紙３０を折り畳んだ状態で収容し、敷紙収容部２１から延出した支持部２２と首部２３が両面接着テープ２５を介して鏡餅容器１０の鍔部１１を挟み込み、さらに首部２３から延出した起立片２４が鏡餅容器１０の鍔部１１の上面から上方に向けて起立し表示部を形成し、この起立片２４に敷紙付きである旨を表示する。【選択図】  図１
2007030962.tif 000002
【特許請求の範囲】
【請求項１】
大小の餅を複数段重ねた鏡餅形状の容器であり容器内部に餅が収容される鏡餅容器と、鏡餅用の敷紙を前記鏡餅容器に添付する敷紙添付部材とを有する鏡餅包装体であって、
前記敷紙添付部材は、前記鏡餅容器の底面側に配置される敷紙収容部に前記敷紙を折り畳んだ状態で収容し、前記敷紙収容部から延出した延出部が前記鏡餅容器の外周縁側で前記敷紙添付部材を前記鏡餅容器に取り付け、さらに前記延出部が前記鏡餅容器の側面側に延出し表示部を形成することを特徴とする鏡餅包装体。
【請求項２】
前記敷紙添付部材は、前記鏡餅容器の下段の外周縁から径方向外側に形成される鍔部を前記延出部で接着剤を介して挟み込み、さらに前記延出部が前記鍔部の上面から上方に向けて起立し前記表示部を形成することを特徴とする請求項１に記載された鏡餅包装体。
【請求項３】
前記敷紙添付部材の前記表示部に敷紙付きである旨の表示がされることを特徴とする請求項１又は２に記載された鏡餅包装体。
【請求項４】
前記敷紙添付部材は、前記敷紙収容部と前記延出部との境界に折り目が設けられ、前記折り目を基準にし前記敷紙添付部材の前記敷紙収容部を前記鏡餅容器の底面から手前に開閉可能であることを特徴とする請求項１から３のいずれか１項に記載された鏡餅包装体。
【請求項５】
前記敷紙添付部材は紙製であることを特徴とする請求項１から４のいずれか１項に記載された鏡餅包装体。
【発明の詳細な説明】
【技術分野】
【０００１】
本発明は、大小の餅を複数段重ねた鏡餅形状の容器であり容器内部に餅が収容される鏡餅容器と鏡餅用の敷紙を鏡餅容器に添付する敷紙添付部材とを有する鏡餅包装体に関する。
【背景技術】
【０００２】
日本の伝統として、お正月には、平たい円形の餅を大小２段に重ねた鏡餅を神仏に供える。近年では、大小の鏡餅を部屋ごとに置物のように飾る慣習がある。また、お正月のお目出度い雰囲気になるように、鏡餅には、縁起の良い橙や紅白・金銀の水引、白地に赤枠の敷紙などが装飾されることが多い。
【０００３】
鏡餅は、餅を平たい円形に形作り、大小の円形の餅を重ねて作製されるものであるが、近年の市販される鏡餅は、大小２段の鏡餅形状の底面が開口したプラスチック容器に底面から餅を充てんして底面をパックし、機密性を高めて、長期間にわたり保存ができるようにされているものが多い。または、鏡餅容器を餅と同系色の白色とし、鏡餅容器の中に、小分けされた切餅や丸餅を複数個、梱包して底面でパックし、鏡餅の使用後には、鏡餅容器中の切餅や丸餅を取り出し、そのまま簡単に調理をすることができるものもある。切餅や丸餅がそれぞれパックされることで、餅を食べる量だけその都度、調理することができる。
【０００４】
鏡餅のサイズは多様であり、一般に市販されるものでは、底面が直径約２３０ｍｍで高さが約１５０ｍｍのものから、底面が直径約７５ｍｍで高さが約４５ｍｍのものまである。一般的に、大きいサイズの鏡餅は居間や床の間に飾られ、小さいサイズの鏡餅は簡易的に台所や寝室、子供部屋などに飾られる。
【０００５】
大きいサイズの鏡餅では、三方（四角形状の台）の上に、白地で外周縁が赤い敷紙を敷き、その上に鏡餅を載せて飾る。さらに、鏡餅の下部に紅白の御幣を挟んで飾ることもできる。鏡餅には、２段のくびれの位置に水引を飾り、この水引の結び目を鶴の形状を模倣して華やかさを強調することができる。また、鏡餅の上に、橙を載せ、さらにその上に紅白の扇子を飾ることで華やかさが増す。この橙には長期の使用に適したプラスチック製の模型が使用されることが多い。
【０００６】
小さいサイズの鏡餅では、三方は用いずに、敷紙を直接載置場所に敷き、その上に鏡餅を載せて飾る。敷紙のサイズは、鏡餅の底面の直径よりも多少大きい正方形であり、その中央に鏡餅を載せる。小サイズであっても、２段のくびれ部分に金色のゴムを掛けて、このゴムで紅白や金銀の水引を留めて飾り、華やかさを強調することができる。上段の鏡餅の上に橙を載置する場合は不安定になりやすいが、鏡餅の上段の餅の外周形状に嵌り合い、鏡餅の上部の橙を包み込む形状のプラスチックケースを用いて、橙を包み込むようにしてプラスチックケースを鏡餅に嵌め込み、橙を鏡餅に一体的に飾ることができる。
【０００７】
ところで、鏡餅は、工場出荷時には、ダンボール箱などの梱包ケースに複数個、例えば３列×４行で１２個まとめて梱包され、スーパーマーケットなどの店舗での陳列時には、鏡餅をダンボール箱に梱包したまま、ダンボール箱を複数段重ね、最上段のダンボールの上面を開いて、その中の鏡餅から陳列される。鏡餅が購入されてゆき、上段のダンボールが空になると、順に次の段のダンボールが開かれ、その中の鏡餅が陳列される。
【０００８】
三方を用いない敷紙のみのタイプの鏡餅では、特に小さいサイズの鏡餅で、鏡餅本体に橙や水引などが一体的に組み付けられた状態でダンボール箱に梱包され、購入者は、鏡餅本体をそのまま取り出すことで装飾品もともにセットされた状態で手に取ることができる。また、鏡餅が装飾された状態で陳列されているため、購入者へ製品をアピールしやすい。
【０００９】
しかしながら、鏡餅用の敷紙は、単に紙形状のものであり、鏡餅本体とは別体として飾り付けられるため、鏡餅本体と敷紙とを一体的にセットにして陳列することが難しい。そのため、従来、敷紙は、陳列用のダンボール箱中に鏡餅本体とは別に敷紙だけまとめて梱包されて、購入者が鏡餅を取り出すときに、敷紙を個別に取るようにしていた。または、各鏡餅に敷紙をそれぞれ添付するために、敷紙を折り畳んで袋状のケースに収納し、このケースを橙用のプラスチックケースや水引用のゴムにひっかけ、鏡餅の側面に敷紙を添付することができる。
【００１０】
特許文献１に開示された餅入り鏡餅包装体は、餅入り鏡餅容器を、鏡餅容器の下段の餅部と同径の台紙上に載せ、台紙の周縁に２箇所に設けた起立片を起立させ、各起立片に形成された開口に鏡餅容器の周縁を嵌め入れ、鏡餅容器と台紙とのずれを防止した状態で、全体を透明フィルムで包装したものであり、鏡餅容器と台紙との間に敷紙を折り畳んだ状態で挟ませている。
【特許文献１】特開２００１−１０３９１６号公報（図５参照）
【発明の開示】
【発明が解決しようとする課題】
【００１１】
従来のダンボール箱中に敷紙をまとめて収容して、鏡餅本体とは別個に敷紙を取り出す方法では、ダンボール箱中の敷紙の収容場所に、わかりやすく表示をしたり旗などをたてたりすることで、購入者の注意を引いたとしても、敷紙が鏡餅本体と別々になっていると、敷紙を取り忘れていく購入者が多い。また、敷紙を取り出したとしても、購入してから自宅まで買物袋の中で別々になったり、自宅でお正月まで鏡餅を保管する間に敷紙を紛失したりするなどして、鏡餅を飾るときまでに敷紙が紛失してしまうこともある。このような場合、お正月の飾りとして華やかさを引き立てるために、鏡餅に敷紙を添付しても、鏡餅と敷紙が一緒に飾られることができないことが想定され、鏡餅の供給者側にしてみれば商品の価値が十分に発揮されないため顧客の満足度をさらに高めることができないという問題があり、鏡餅の購入者側にしてみれば敷紙を取り損なったことや紛失したことで損をした気分になることは否めない。
【００１２】
さらに、ダンボール箱には、鏡餅本体の数と同数の敷紙を収容するため、先の購入者が誤って敷紙を複数枚取ってしまうと、後の購入者が鏡餅を購入するときに敷紙がなくなっていることがあり、購入者に平等に敷紙を配布できないという問題がある。
【００１３】
また、ダンボール箱に収納された状態の敷紙は、通常、折り畳まないで全面を広げ、複数枚を重ねた状態であるため、１枚ずつ分離して取り出しにくく、取り出したとしても、１枚の薄い紙片であるため、スーパーマーケットなどでは買い物かごの中で他の商品と接触してしわやキズが付きやすく、自宅へ帰る途中や自宅での保管時にもしわやキズがつきやすい。
【００１４】
一方、鏡餅本体に敷紙を１枚ずつ取り付けようとすると、敷紙を１枚ずつ折り畳んでコンパクトにし、ボール紙などの厚紙を両端が開いた封筒状の収容ケースにし、その隙間に折り畳んだ敷紙を収容し、前述した橙用のプラスチックケースや水引用のゴムと鏡餅容器との隙間に収容ケースを挟み込んで、鏡餅容器の側面に敷紙を添付することができる。しかし、この場合では、鏡餅本体に飾り付けをした状態で陳列し購入者の注目を引き付けようとしているにもかかわらず、収容ケースによって鏡餅本体を全体的に見ることができなくなってしまい、陳列時の外観を損ねて購入者の購買意欲を後退させてしまう。また、鏡餅本体の外周形状から突出して収容ケースが取り付けられるため、購入者が鏡餅を取り出すときに、収容ケースが邪魔になったり、他の鏡餅にぶつかって紙製の収容ケースが折れ曲がったりする場合もある。さらに、鏡餅本体は円形状であり収容ケースは平坦状であるため、鏡餅本体と収容ケースの取り付けを密着させて取り付けることができないため不安定になりやすく、鏡餅の搬送・販売時などに収容ケースに衝撃が加えられると、取り付け部分が損傷しやすく、ひどい場合ではちぎれてしまう恐れがある。
【００１５】
また、特許文献１の餅入り鏡餅容器では、敷紙が底面に収納されているため運搬・販売時に取り扱いやすく外観を損ねないが、敷紙が鏡餅本体と台紙との間に挟まれ覆われているため、鏡餅に敷紙が添付されていることを購入者が外観からすぐに確認することができないという問題がある。また、鏡餅容器に台紙を取り付けるために全体を樹脂フィルムで覆う必要があるため、鏡餅の飾り付け時に、紙製の台紙の他に樹脂フィルムのゴミが発生し、一般的にこのような２種類のゴミが発生するとゴミの分別回収の手間を要するという問題がある。
【００１６】
そこで、本発明の目的は、上述の問題点を解決することであり、鏡餅包装体に敷紙を添付する際に、鏡餅の運搬・販売時に取り扱いやすく鏡餅の陳列時の外観を損ねず、敷紙が添付されている旨を購入者に掲示しながら、鏡餅本体と敷紙をセットにした鏡餅包装体を提供することである。
【課題を解決するための手段】
【００１７】
本発明に係る第１の構成は、大小の餅を複数段重ねた鏡餅形状の容器であり容器内部に餅が収容される鏡餅容器と、鏡餅用の敷紙を前記鏡餅容器に添付する敷紙添付部材とを有する鏡餅包装体であって、前記敷紙添付部材は、前記鏡餅容器の底面側に配置される敷紙収容部に前記敷紙を折り畳んだ状態で収容し、前記敷紙収容部から延出した延出部が前記鏡餅容器の外周縁側で前記敷紙添付部材を前記鏡餅容器に取り付け、さらに前記延出部が前記鏡餅容器の側面側に延出し表示部を形成することを特徴とする鏡餅包装体である。
【００１８】
このような構成では、鏡餅に敷紙を添付する際に、陳列用にダンボール箱に複数個梱包された鏡餅の中から、購入者が鏡餅を取り出すときに、鏡餅本体と敷紙とを１対１で提供することができ、敷紙が鏡餅本体の底面側にあるため扱いやすく、陳列時に鏡餅を全体的に確認することができ鏡餅の外観を損ねることを防止する。
【００１９】
また、敷紙添付部材の表示部に、鏡餅の宣伝・広告や、取扱説明などを印字などで表示することができ、購入者に鏡餅に関する情報を提供することができる。特に、小さいサイズの鏡餅では、宣伝など用のスペースを設けにくいため、この表示部を有効に用いることができる。また、鏡餅本体を手にすれば、底面に敷紙収納部が現れるため、敷紙が添付されていることを簡単に確認することができる。
【００２０】
また、敷紙添付部材は鏡餅容器の外周縁側に取り付けられているため、敷紙添付部材を鏡餅容器から簡単に取り外すことができ、生じるゴミも敷紙添付部材だけとなるため少ない。
【００２１】
本発明に係る第２の構成は、前記敷紙添付部材は、前記鏡餅容器の下段の外周縁から径方向外側に形成される鍔部を前記延出部で接着剤を介して挟み込み、さらに前記延出部が前記鍔部の上面から上方に向けて起立し前記表示部を形成することを特徴とする鏡餅包装体である。
【００２２】
このような構成では、敷紙添付部材は、鏡餅容器の鍔部の外周部分で、接着剤で取り付けられるという簡単で部品点数が少ない方法で取り付けられ、この接着剤を鏡餅容器から剥離可能な程度とすれば、敷紙添付部材を簡単に鏡餅容器から取り外すことができ、さらにその敷紙添付部材を分別せずにそのままゴミとして廃棄することができる。
【００２３】
また、敷紙添付部材の表示部は鏡餅容器の鍔部の上面に起立し、鏡餅容器が陳列された状態で正面及び上方から確認することができるため、この表示部に鏡餅の宣伝や広告、又は取扱説明などを印字などで表示することで、購入者に製品の情報をわかりやすく提供することができる。
【００２４】
本発明に係る第３の構成は、前記敷紙添付部材の前記表示部に敷紙付きである旨の表示がされることを特徴とする。
【００２５】
このような構成では、敷紙添付部材の表示部に敷紙付きである旨を掲示することで、敷紙が添付されていることを購入者が外観からすぐに確認することができる。
【００２６】
本発明に係る第４の構成は、前記敷紙添付部材は、前記敷紙収容部と前記延出部との境界に折り目が設けられ、前記折り目を基準にし前記敷紙添付部材の前記敷紙収容部を前記鏡餅容器の底面から手前に開閉可能であることを特徴とする。
【００２７】
このような構成では、一般的に鏡餅容器の底面に品質表示が印字されているが、鏡餅容器の底面が敷紙添付部材で覆われていても、底面に配置された敷紙添付部材を手前に開くことで、この品質表示を確かめることができる。
【００２８】
本発明に係る第５の構成は、前記敷紙添付部材は紙製であることを特徴とする。
【００２９】
このような構成では、敷紙添付部材は紙製であるため、敷紙を取り出して使用した後には、ゴミの分別をしないでそのまま可燃ゴミとして廃棄することができる。
【発明の効果】
【００３０】
本発明によれば、鏡餅包装体に敷紙を添付する際に、鏡餅の運搬・販売時に取り扱いやすく鏡餅の陳列時の外観を損ねず、敷紙が添付されている旨を購入者に掲示しながら、鏡餅本体と敷紙をセットした鏡餅包装体を提供することができる。
【発明を実施するための最良の形態】
【００３１】
以下、本発明に係る実施の形態を図面を参照して説明する。なお、本実施の形態における例示が本発明を限定することはない。
【００３２】
図１は、本実施の形態に係る鏡餅包装体の正面図（ａ）、側面図（ｂ）及び底面図（ｃ）である。
【００３３】
図１に示す鏡餅包装体の鏡餅容器１０は、透明又は半透明の樹脂素材からなり、下段に大径の円形部１０ａと上段に小径の円形部１０ｂを形成して２段の重ね餅を模し、底面が開口し、開口部、すなわち下段の円形部１０ａの外周縁から径方向外側に鍔部１１が形成される。鏡餅容器１０の内部には餅が柔らかい状態で充てんされる。なお、鏡餅容器１０を白色にして内部に切餅や丸餅などを個別に包装したものを詰めたものとしてもよい。鏡餅容器１０の底面の底面シート１２は、鏡餅容器１０に餅を充てんした状態で、鏡餅容器１０の底面に貼り合わせ、鏡餅容器１０の鍔部１１にヒートシールされ、鏡餅容器１０を封止する。底面シート１２の表面には一般的に鏡餅の品質表示が印字され、品質表示が販売時に外観から確認できるようになっている。
【００３４】
敷紙ケース（鏡餅添付部材）２０は、鏡餅容器１０の底面側に配置される敷紙収容部２１に敷紙３０を折り畳んだ状態で収容し、鏡餅容器１０の鍔部１１上面の起立片（表示部）２４に敷紙付きである旨を表示する。敷紙３０は、四方紅とも呼ばれるものであり、お供え物をのせる色紙で、主に正方形の白地の紙片の四方を赤色で縁取ったものであり、鏡餅包装体にセットすることで鏡餅の飾り付けをより華やかにすることができる。敷紙３０には、鏡餅が載置される表面の中央部分に鏡餅の載置位置を表示したり、裏面に鏡餅の飾り付け方法や調理方法の説明を表示したりしてもよい。
【００３５】
敷紙ケース２０について図２の正面図を用いて詳細に説明する。
【００３６】
敷紙ケース２０は、ボール紙などの厚紙で作製され、帯状片を折り曲げて袋とじによって正方形の袋状の収容部２１を形成し、両側２辺を開放し、開放した辺側から４つ折りにした敷紙３０をスライドして挿入し収納する。収容部２１には敷紙３０を引き出しやすくするために、引き出し口に切り欠き２１ａが設けられる。収納部２１は、敷紙３０の大きさや、敷紙３０の折り畳み方法に応じて、適宜の形態を採用することができる。
【００３７】
敷紙ケース２０の袋とじした辺側には厚紙が延び出し、収容部２１と谷折線を境にして収容部２１の１辺より狭い幅から延びさらに先細りした形状の支持片２２、支持片２２と山折線を境にして支持片２２から同幅で延びた首部２３、首部２３と谷折り線を境にして４つの角を面取りした横長状の長方形である起立片２４が形成される。敷紙ケース２０の裏面側には、支持片２２と首部２３にわたり、両面接着テープ２５が貼り付けられ、鏡餅容器１０との接着に用いられる。
【００３８】
鏡餅本体に敷紙ケース２０を取り付ける際には、鏡餅容器１０の鍔部１１の周縁に、支持片２２と首部２３の境界の山折部を合わせ、支持片２２を鏡餅容器１０の底面に両面接着テープ２５で貼り付け、山折線で折り畳み、首部２３を鏡餅容器１０の鍔部１１の上面に両面接着テープ２５で貼り付け、鏡餅容器１０の鍔部１１を両面接着テープ２５を介して支持片２２と首部２３とで挟み込んで取り付ける。そして、起立片２４は、首部２３との境界である谷折り線で、首部２３と略直角になるように谷折りにする。また、鏡餅の底面側では、敷紙ケース２０が鏡餅本体の底面を隠すようにして取り付けられるが、支持部２２と収容部２１との境界である谷折り線で谷折りをすれば、鏡餅本体の底面が露出し、底面シート１２に印字された品質表示などを見ることができる。
【００３９】
また、敷紙ケース２０の起立片２４には敷紙添付である旨の表示を印字しておくことで、鏡餅本体を販売時に陳列した状態で、正面からその表示を確認することができる。
【００４０】
また、敷紙ケース２０が底面側から目視でわかるように取り付けられているため、購入者が鏡餅を手に取れば、敷紙３０が添付されていることがすぐにわかるようになっている。
【００４１】
また、敷紙ケース２０は紙製であるため、敷紙３０を取り出して使用した後は、鏡餅本体から取り外し、パーツを分別する必要なくそのまま可燃ゴミとして廃棄することができる。特に小さいサイズの鏡餅で敷紙３０以外の装飾が鏡餅に飾り付けられた状態で販売されている場合、購入者が鏡餅を飾り付ける際に生じるゴミは、敷紙３０を抜き取った後の敷紙ケース２０だけとなるため、飾り付け時にゴミの量が少なく手間を要しない。
【００４２】
鏡餅の飾り付けは、図３に示すように、敷紙ケース２０から取り出した敷紙３０を１枚に広げ、その上に鏡餅本体を載せる。なお、敷紙ケース２０は飾り付け時には鏡餅本体から取り外してある。敷紙３０は鏡餅本体の底面、すなわち鍔部１１を含んだ外周よりも広いものが使用され、敷紙３０に鏡餅本体を置いたときに敷紙３０の周縁の赤い部分が隠れないものが好ましく使用される。敷紙３０の収納スペースが鏡餅容器１０の底面であるため、広い面積の敷紙３０を収容しても、運搬・販売時に邪魔にならず外観も損ねることがない。さらに、図示の例では、鏡餅容器１０の上にプラスチックケース４０を用いて橙４１を載せ、鏡餅容器１０の下段と上段の括れ部に金色のゴム４２で水引４３を留め、より華やかに飾り付けている。
【００４３】
上述した本実施の形態によれば、敷紙３０が鏡餅の底面側に収容されているため、鏡餅の運搬・販売時に敷紙が邪魔にならず外観を損ねることがないとともに、起立片２４に敷紙付きの掲示をすることで敷紙３０が添付されていることが外観から目視で確認することができるようになる。
【００４４】
すなわち、鏡餅本体に敷紙３０が一体的に取り付けられているため、敷紙３０と鏡餅本体を１対１で購入者に提供することができ、購入者は鏡餅を飾り付けるときまで敷紙３０を紛失することなく保管することができる。
【００４５】
また、鏡餅本体の底面に敷紙３０が収容されるため、運搬時・販売時に、敷紙ケース２０が鏡餅本体から外れにくく、鏡餅本体を段ボール箱から取り出すときに敷紙ケース２０が邪魔にならない。特に、鏡餅本体の底面に敷紙３０を折り畳んで収容するため、敷紙３０を別に配布したり鏡餅本体の側面に添付したりする場合に比べ、より広い面積の敷紙３０を用いることができる。
【００４６】
また、鏡餅本体の底面に敷紙３０が収容されるため、敷紙３０を添付しても、鏡餅を全体的に確認できるように陳列することができるため、製品を購入者にアピールすることができる。特に、小さいサイズの鏡餅で、橙や水引を鏡餅容器に飾り付けた状態で陳列される場合に、敷紙３０が外観を邪魔しないで、鏡餅を全体的に確認することができる。
【００４７】
また、敷紙３０を鏡餅容器１０の底面側に収納すると敷紙３０が添付されていることを外観から確認しにくいという問題があったが、敷紙ケース２０の起立片２４に、敷紙付きである旨を表示すれば、購入者に敷紙付であることを宣伝することができる。また、鏡餅を手に取れば、底面に敷紙ケース２０が付いていることをすぐに確認することができる。
【００４８】
また、鏡餅本体の底面シート１２に品質表示がされている場合では、この品質表示が底面側に収納された敷紙３０で隠れてしまうという問題があったが、敷紙ケース２０を折れ目で開閉することで、この品質表示を簡単に確認することができる。
【００４９】
また、敷紙３０を敷紙ケース２０から取り外した後には、敷紙ケース２０は紙製であるため、一般的にゴミの分別をすることなくそのまま可燃ゴミとして廃棄することができる。
【図面の簡単な説明】
【００５０】
【図１】本発明に係る実施の形態における鏡餅包装体の正面図（ａ）、側面図（ｂ）、底面図（ｃ）である。
【図２】本発明に係る実施の形態における鏡餅包装体の敷紙ケースの正面図である。
【図３】本発明に係る実施の形態における鏡餅包装体を飾り付けた状態を示す図である。
【符号の説明】
【００５１】
１０  鏡餅容器
１０ａ  下段餅部
１０ｂ  上段餅部
１１  鍔部
１２  底面シート
２０  敷紙ケース
２１  敷紙収容部
２２  支持部
２３  首部
２４  表示部
２５  両面接着テープ
３０  敷紙
４０  プラスチックケース
４１  橙
４２  ゴム
４３  水引
【図１】
2007030962.tif 000003
【図２】
2007030962.tif 000004
【図３】
2007030962.tif 000005